(57)【要約】【課題】本発明は携帯機器に関し、用紙ロール収納部を覆う蓋の機構の設計の簡易化を図ることを課題とする。【解決手段】蓋部材２０１の上面には、操作ノブ２０５が設けてある。蓋部材２０１の下面には、同一部材である左右のロックレバー２０６、２０７と、二段ギヤ２０８とが組み込んである。二段ギヤ２０８は、第１のギヤ部２０８ａと第２のギヤ部２０８ｂとを一体に有する構成であり、蓋部材２０１上の軸部２０９に支持されている。第１のギヤ部２０８ａのピッチ円２２１は半径がｒ１である。第２のギヤ部２０８ｂのピッチ円２２２は、半径ｒ１より長い半径ｒ２を有する。ロックレバー２０６のラック２０６ａ及びロックレバー２０７のラック２０７ａが第１のギヤ部２０８ａにかみ合っている。操作ノブ２０５の下面のラック部２０５ａは、第２のギヤ部２０８ｂとかみ合っている。第１のギヤ部２０８ａのピッチ円半径ｒ１と第２のギヤ部２０８ｂのピッチ円半径ｒ２との比率を変えることによって、操作ノブ２０５のロック解除までのストロークが自由に定まる。【選択図】図１６
2006272968.tif 000002
【特許請求の範囲】
【請求項１】
携帯機器本体に蓋部材が回動して開閉自在に設けてあり、
蓋部材が閉じた状態で両側に突き出ており携帯機器本体に係合している左右のレバー部材と、一つの操作部材と、この操作部材を操作することによって左右のレバー部材を中央側に移動させる連動機構とを有する携帯機器において、
上記連動機構は、
左右のレバー部材がラック部を有し、且つ、操作部材がラック部を有する構成であり、
第１の半径のピッチ円を有し上記のラック部にかみ合う第１のギヤ部と、該第１のギヤ部の上側の段にあり、第１の半径より長い第２の半径のピッチ円を有し、扇形状である第２のギヤ部とを有し、第１のギヤ部を上記左右のレバー部材のラック部とかみ合わされて、第２のギヤ部を上記操作部材のラック部とかみ合わされて、上記蓋部材に回動可能に支持されているギヤを備えた構成であることを特徴とする携帯機器。
【発明の詳細な説明】
【技術分野】
【０００１】
本発明は携帯機器に関する。
【背景技術】
【０００２】
図１（Ａ）は従来の携帯型サーマルプリンタのバッテリ収容部蓋機構１を示す。この蓋機構１は、回動中心軸がプリンタ本体の表面より凹んだ部位に配置されている回動中心軸内蔵型の構成である。図１（Ｂ）は閉じている状態、図１（Ｃ）は開かれた状態を示す。２は携帯型サーマルプリンタ本体、３はバッテリ収容部、４は蓋部材、５は蓋部材４の軸部、Bはバッテリである。プリンタ本体２の側面６には、その表面７より凹んだ凹み部分８に、軸受穴９が形成してある。蓋部材４は、その軸部５を軸受穴９に嵌合させて、プリンタ本体２に取り付けてある。
【０００３】
蓋部材４は、軸受穴９に嵌合してある軸部５を中心に回動されて、図１（Ｃ）に示すよう開かれる。
【０００４】
図２（Ａ）は従来の携帯型サーマルプリンタの別のバッテリ収容部蓋機構２０を示す。この蓋機構２０は、回動中心軸がプリンタ本体の表面より突き出ている回動中心軸突き出し型の構成である。図２（Ｂ）は閉じている状態、図２（Ｃ）は開かれた状態を示す。２１は携帯型サーマルプリンタ本体、２２はバッテリ収容部、２３は蓋部材、２４は蓋部材２３のより突き出ている孔付き腕部、２５は孔である。プリンタ本体２１の側面２６には、その表面２７より突き出して、軸受部２８が形成してある。蓋部材２３は、軸受部２８を貫通して軸受部２８に支持されている軸部材２９に、孔２５を嵌合させてプリンタ本体２１に取り付けてある。
【０００５】
蓋部材２３は、軸部材２９を中心に回動されて、図２（Ｃ）に示すよう開かれる。
【０００６】
図３（Ａ）は特開平１１−１５７１７０号公報に記載してある従来の携帯型サーマルプリンタのロール紙収容部蓋機構４０を示す。蓋部材４２は軸４３によって携帯型サーマルプリンタ本体４１に支持されている。この蓋部材４２の表面の中央には操作ノブ４４が設けてある。蓋部材４２の裏面には、図３（Ｂ）に示すように、操作ノブ４４と一体の開閉レバー４５と、左右のロックレバー４６，４７とが設けてある。ロックレバー４６，４７の一端がプリンタ本体４１の側板の内側の凹部４８，４９に嵌合してあり、且つ、ロックレバー４６，４７の他端のピン部４６ａ，４７ａが開閉レバー４５のカム孔４５ａ，４５ｂに嵌合している。
【０００７】
操作ノブ４４をＹ２方向にスライドさせると、カム孔４５ａ，４５ｂがピン部４６ａ，４７ａを動かして、ロックレバー４６，４７が互いに近づくように動かされて凹部４８，４９から抜け出して、蓋部材４２のロックが解除され、蓋部材４２が二点鎖線で示すように開かれる。カム孔４５ａ，４５ｂの部分には、摩擦を低減して摺動を良くするためにグリスが塗ってある。
【特許文献１】特開平１１−１５７１７０号公報
【発明の開示】
【発明が解決しようとする課題】
【０００８】
図１に示す蓋機構１は、閉じている状態における、落下に対する堅牢性が高く、デザイン性も良い。しかし、開かれている状態での堅牢性に問題がある。
【０００９】
即ち、蓋部材４の軸部５がプリンタ本体２の側面６の表面７より凹んで位置しているため、プリンタを誤って床に落とした場合に衝撃が軸部５に直接に加わることが避けられて、軸部５が破壊することが防止される。また、蓋部材４の軸部５がプリンタ本体２の側面６から出っ張っていないため、プリンタは良いデザインである。しかし、図１（Ｃ）に示すように、蓋部材４の開き角度θ１は１４０度程度であり、蓋部材４が肩部１０に当たった状態で制限されるものであり、バッテリの交換を行っている途中でプリンタを誤って床に落としたりして、蓋部材４にそれ以上に開けようとする力Ｆ１が強く作用した場合には、軸部５にはてこの原理で更に強い力が発生して、軸部５が壊れてしまう虞れがあった。
【００１０】
図２に示す蓋機構２０は、図１に示す蓋機構１とは逆に、開かれている状態での堅牢性は良いけれども、閉じている状態における落下に対する堅牢性及びデザイン性に問題があった。
【００１１】
即ち、図２（Ｃ）に示すように、蓋部材２３の開き角度θ２は１８０度となって、蓋部材２３はプリンタ本体２１の側面２６に当たる状態とされ、バッテリの交換を行っている途中でプリンタを誤って床に落としたりして上記の力Ｆ１が作用された場合でも腕部２４に力は発生せず、腕部２４が壊れる事故は起きない。しかし、蓋部材２３が閉じた状態で腕部２４がプリンタ本体２１の側面２６から外側に出ているため、プリンタを誤って床に落とした場合に衝撃が腕部２４に直接に加わることがあり、場合によっては壊れてしまう虞れがあった。蓋部材２３が閉じた状態で腕部２４がプリンタ本体２１の側面２６から外側に出ているため、デザイン的にも問題があった。
【００１２】
また、図３に蓋機構４０においては、グリスが塗ってあるため、グリスにごみが付いたことが原因で、或いはグリスの経年変化によって、操作が重くなってしまったりする虞れがあった。グリスが染み出すと用紙に影響を与え、用紙を使用するプリンタではグリスを使用することは好ましくなかった。
【００１３】
また、着脱式の蓋部材を使用する構造では、蓋部材を紛失する虞れがあった。
【００１４】
そこで、本発明は、上記課題を解決した携帯機器を提供することを目的とする。
【課題を解決するための手段】
【００１５】
請求項１の発明は、携帯機器本体に蓋部材が回動して開閉自在に設けてあり、
蓋部材が閉じた状態で両側に突き出ており携帯機器本体に係合している左右のレバー部材と、一つの操作部材と、この操作部材を操作することによって左右のレバー部材を中央側に移動させる連動機構とを有する携帯機器において、
上記連動機構は、
左右のレバー部材がラック部を有し、且つ、操作部材がラック部を有する構成であり、
第１の半径のピッチ円を有し上記のラック部にかみ合う第１のギヤ部と、該第１のギヤ部の上側の段にあり、第１の半径より長い第２の半径のピッチ円を有し、扇形状である第２のギヤ部とを有し、第１のギヤ部を上記左右のレバー部材のラック部とかみ合わされて、第２のギヤ部を上記操作部材のラック部とかみ合わされて、上記蓋部材に回動可能に支持されているギヤを備えた構成であることを特徴とする。
【発明の効果】
【００１６】
操作部材からロックレバーへの運動の伝達は専らギヤによってなされており、運動の伝達は円滑であり、グリスは塗布されていない。よって、グリスの塗布に起因する不都合、例えば、グリスにごみが付いたことが原因で、或いはグリスの経年変化によって、操作が重くなってしまったり、グリスが染み出して印刷用紙を汚してしまったりする不都合は起きなくなる。また、第１のギヤ部のピッチ円半径と第２のギヤ部のピッチ円半径との比を変えることによって、操作部材の操作ストロークを自由に定めることが可能となる。
【発明を実施するための最良の形態】
【００１７】
次に本発明の実施の形態について説明する。
【実施例１】
【００１８】
図４、図５及び図６は本発明の一実施例になる携帯型ラインサーマルプリンタ６０を示す。図７はプリンタ６０を分解して示す。Ｘ１−Ｘ２は幅方向、Ｙ１−Ｙ２は長手方向、Ｚ１−Ｚ２は高さ方向である。携帯型ラインサーマルプリンタ６０は、略直方体形状のケーシング６１の内部に、サーマルヘッド等のプリント機構及び用紙ロールを収容する部分の他に、バッテリを内蔵する部分を有する構造であり、携帯が可能である大きさである。プリンタ６０はクラムシェルタイプであり、用紙ロールのセットが容易である。
【００１９】
プリンタ６０のケーシング６１は、ケーシング本体６２と、バッテリ収納部蓋機構８０と、用紙ロール収納部蓋機構２００とを有する。ケーシング本体６２は、図７に示すように、本体部６３に側板部６４がねじによって固定してある構造である。各蓋機構８０、２００の蓋部材８１、２０１が閉じている状態で、ケーシング６１は略直方体形状である。
【００２０】
ケーシング本体６２は、Ｙ１側に、バッテリＢを収容するバッテリ収納部６６を有し、Ｚ１側に、用紙ロールＲを収容する用紙ロール収納部６７を有する。バッテリ収納部６６の部分に、蓋機構８０が設けてある。バッテリＢを交換するときに、蓋部材８１がＺ１−Ｚ２線を中心に回動して、図４に示す閉じ位置と図５に示す開き位置との間で開閉される。用紙ロール収納部６７の部分に、蓋機構２００が設けてある。用紙ロールを装填するときに、蓋部材２０１がＸ１−Ｘ２線上の軸部材２０２を中心に回動されて図４に示す閉じ位置と図５に示す開き位置との間で開閉される。蓋部材２０１はばね力によって開かる。
【００２１】
ケーシング本体６２の内部には、用紙送りモータ６８、プラテンゴムローラ６９、モータ６８の回転をプラテンゴムローラ６９に伝達するギヤ機構７０、制御回路基板７１等が設けてある。蓋部材２０１には、その先端側に、ラインサーマル印字ヘッド７５がばね７６によって付勢されて設けてあり、且つ、上面に、操作ボタン７７を有する。
【００２２】
プリンタ６０は、バッテリＢが収納部６６に装着されて蓋部材８１が閉じられており、且つ、用紙ロールＳＲが収納部６７に装着され、用紙Ｓが引き出され、蓋部材２０１が閉じられ、用紙Ｓが印字ヘッド７５とプラテンゴムローラ６９とに挟まれた状態とされて使用される。外部からの無線又は赤外線通信等による命令によって、印字ヘッド７５及びモータ６８が駆動され、用紙Ｓに印刷がなされ、且つ、用紙Ｓが矢印７８の方向に送り出される。
【００２３】
次に、バッテリ収納部蓋機構８０について説明する。
【００２４】
図８はプリンタ６０のうち蓋機構８０の部分を分解して示す。図９は図８中の回動中心軸モジュール９０を分解して示す。図１０は回動中心軸モジュール９０を支持する回動中心軸モジュール支持構造部１００を示す。
【００２５】
蓋機構８０は、蓋部材８１と、回動中心軸モジュール９０と、回動中心軸モジュール支持構造部１００とを有する。
【００２６】
蓋部材８１は、略Ｌ字形を有し、一方側に、フック状の軸受部８１ａと凸部８１ｂとを有し、他方側に、フック部８１ｃを有する。また、蓋部材８１には、ラッチ部８２ａ付きの操作ノブ８２が設けてある。
【００２７】
回動中心軸モジュール９０は、図９に示すように、Ｕ字形状のフレーム部材９１と、回動中心軸９２と、圧縮コイルばね９３とよりなる構成である。
【００２８】
Ｕ字形状のフレーム部材９１は、基部９１ａと、基部９１ａの両側から延びている腕部９１ｂ，９１ｃと、基部９１ａの中央の短い柱部９１ｄと、各腕部９１ｂ，９１ｃの先端の軸受部９１ｅ，９１ｆとを有する。この軸受部９１ｅ，９１ｆのＸ１−Ｘ２方向の幅Ｗ２は、腕部９１ｂ，９１ｃの幅Ｗ１より広い。この軸受部９１ｅ，９１ｆに、幅Ｗ２の方向に長い形状の軸受孔９１ｇ，９１ｈが形成してある。軸受孔９１ｇ，９１ｈの詳細については後述する。
【００２９】
基部９１ａの両端側には、張り出し部９１ａ１、９１ａ２が形成してあり、柱部９１ｄの個所は凹状となっており、圧縮コイルばね９３が収まり易くなっている。フレーム部材９１のＸ１側の面には、張り出し部９１ａ１、９１ａ２の個所に円形の突起部９１ｉ，９１ｊが形成してある。
【００３０】
回動中心軸９２は、その両端部に、細い軸部９２ａ，９２ｂを有する。回動中心軸９２は、その端の軸部９２ａ，９２ｂを上記の軸受孔９１ｇ，９１ｈに嵌合させて、軸受部９１ｅ，９１ｆ間に横架してある。回動中心軸９２は、軸受孔９１ｇ，９１ｈの範囲内でＹ１−Ｙ２方向に移動可能である。
【００３１】
圧縮コイルばね９３は、柱部９１ｄに嵌合させて、張り出し部９１ａ１、９１ａ２の間に位置して、フレーム部材９１の内側に設けてある。
【００３２】
上記構成の回動中心軸モジュール９０の回動中心軸９２に軸受部８１ａが嵌合してあり、蓋部材８１が回動中心軸モジュール９０に取り付けてある。
【００３３】
回動中心軸モジュール支持構造部１００は、図１０及び図８及び図１１（Ａ），（Ｂ）に示すように、支持箱部１０１と壁部６６ａとよりなるポケット構造である。支持箱部１０１は、側板部６４と一体的に形成してあり、フレーム部材９１に対応する大きさであり、略箱形状である。この支持箱部１０１は、Ｙ２側の支持板部１０２と、この支持板部１０２の縁に沿うＵ字形状の囲い部１０３とよりなり、側板部６４のＹ２端側のＵ字形状の切欠部１０４の個所に形成してある。支持箱部１０１の開放されているＹ１側は、側板部６４が本体部６３と組合わされた状態で、図１１（Ａ）に示すように、本体部６３のバッテリ収納部６６の一の壁部６６ａによって覆われる。１０５は受け板部であり、支持板部１０２よりＹ１方向に突き出ている。切欠部１０４の内側であって、受け板部１０５よりＸ１側の部分に、側板部６４の表面１０６より凹んだ凹み部分１０７が形成してある。支持板部１０２には、Ｘ１−Ｘ２方向に長い２つのガイド孔１０８，１０９が形成してある。
【００３４】
また、本体部６３には、バッテリ収納部６６の入り口の部分に凹部１１０が形成してある。側板部６４には、Ｙ１方向の端に凹部１１１が形成してある。
【００３５】
蓋部材８１が付いている回動中心軸モジュール９０は、支持箱部１０１内に収まって回動中心軸モジュール支持構造部１００に支持されている。
【００３６】
フレーム部材９１は支持箱部１０１内に収まっており、突起部９１ｉ，９１ｊが夫々ガイド孔１０８，１０９に嵌合しており、支持板部１０２のＹ２側からワッシャ１１５、１１６を介在させてタップねじ１１７，１１８を突起部９１ｉ，９１ｊにねじ込んである。よって、回動中心軸モジュール９０は、支持板部１０２に支持されており、Ｘ１方向に移動可能である。ここで、回動中心軸モジュール９０のＹ１方向の変位は、ワッシャ１１５、１１６及び支持板部１０２によって制限されている。
【００３７】
回動中心軸９２及び軸受部８１ａは、受け板部１０５の上側に位置している。圧縮コイルばね９３の上端は受け板部１０５の下面に当っており、フレーム部材９１はＸ２方向に付勢されており、回動中心軸モジュール９０はケーシング本体６２の内側に引き込まれている。回動中心軸９２、軸受部８１ａ及び軸受部９１ｅ，９１ｆは、凹んだ部分１０７に収まっており、第１の位置Ｐ１に位置している。
【００３８】
回動中心軸モジュール９０がＸ１方向に移動されると、回動中心軸９２はケーシング本体６２から突き出して第２の位置Ｐ２に到る。
【００３９】
次に、蓋部材８１の開閉操作及び動作について説明する。
【００４０】
図１１（Ａ）、（Ｂ）、（Ｃ）は蓋部材８１が閉じている状態を示す。蓋部材８１は側板部６４と同じ面にある。操作ノブ８２のラッチ部８２ａが収納部６６の内面を係止し、且つ、フック部８１ｃが凹部１１０に係合し、且つ、凸部８１ｂが凹部１１１に係合しており、蓋部材８１は閉じた状態にロックされている。プリンタ６０を誤って床に落としたりして衝撃が加わった場合、Ｙ１方向の衝撃はラッチ部８２ａによって受け止められる。Ｘ１方向の衝撃が作用すると、バッテリＢが収納部６６から飛び出そうとして蓋部材８１の内面をＸ１方向に押し、蓋部材８１には内部から押し開けようとする力Ｆ１０が作用する。この力Ｆ１０は、この力Ｆ１０の両側の個所で、フック部８１ｃと凹部１１０との係合、及び、凸部８１ｂと凹部１１１との係合によって受け止められる。よって、プリンタ６０に衝撃が加わった場合にも、蓋部材８１は無用に開かない。
【００４１】
ここで、軸受部９１ｅ，９１ｆ、軸受部８１ａ及び回動中心軸９２は、凹み部分１０７内に収まっておりケーシング本体６２の側面１０６から少しも突き出していないため、プリンタ６０を誤って床に落とした場合に、軸受部９１ｅ，９１ｆ及び軸受部８１ａが直接に床面に当ることは起きない。よって、衝撃が軸受部９１ｅ，９１ｆ及び軸受部８１ａに直接に加わることが避けられて、回動中心軸モジュール９０が破壊することは防止される。また、ケーシング本体６２の側面１０６からの出っ張りがないため、プリンタ６０は携帯用のケースにも円滑に収まり、また、デザインも良い。
【００４２】
蓋部材８１を開くときには、図１１（Ａ）中、矢印（１）で示す第１の操作、次いで、矢印（２）で示す第２の操作を行ってロックを解除させる。
【００４３】
図１２（Ａ）、（Ｂ）は第１の操作及び第２の操作が完了した後の状態である。
【００４４】
第１の操作は、操作ノブ８２をＸ１方向にスライドさせる操作である。この操作によって、ラッチ部８２ａによる収納部６６の内面に対する係止が解除される。
【００４５】
第２の操作は、蓋部材８１をＹ１方向に引く操作である。この操作によって、フック部８１ｃが凹部１１０から抜け出し、且つ、凸部８１ｂが凹部１１１から抜け出し、係合が解除される。
【００４６】
その後に蓋部材８１を回動させて、図１３に示すように、蓋部材８１が開かれる。蓋部材８１の開き角度θ１０は１４０度程度であり、蓋部材８１のうち符号８１ｄで示す軸受部８１ａに近い部分が側板部６４の切欠部１０４の奥の縁部１０４ａに当たっている。この状態で、バッテリＢの交換を行う。
【００４７】
バッテリＢを交換した後は、上記とは逆の順序で操作を行って、蓋部材８１は図１１（Ａ）、（Ｂ）、（Ｃ）に示すように閉じられてロックされる。
【００４８】
上記の開く過程でロックを解除するべく蓋部材８１をＹ１方向に引く操作を行ったときに、回動中心軸モジュール９０に作用するＹ１方向の力は、ワッシャ１１５、１１６を介して支持板部１０２によって受け止められ、バッテリ収納部６６の壁部６６ａには力が作用せず、繰り返して操作しているうちに壁部６６ａを傷めて破損させるという不都合が避けられる。
【００４９】
次に、蓋部材８１が図１３に示すように開いており、バッテリの交換を行っている途中でプリンタ６０を何かにぶつけたりして、蓋部材８１にそれ以上に開けようとする力Ｆ１が強く作用した場合について説明する。
【００５０】
図１３中、力Ｆ１が作用すると、蓋部材８１は縁部１０４ａを支点として反時計方向に回動しようする。
【００５１】
蓋部材８１が反時計方向に回動すると、図１４に示すように、回動中心軸モジュール９０がＸ１方向に引かれて、Ｘ１方向に移動される。回動中心軸９２は、凹んだ部分１０７から出てケーシング本体６２の側面から突き出し、第２の位置Ｐ２に到る。回動中心軸９２がＸ１方向に移動されるこれによって、蓋部材８１の軸受部８１ｃに強い力は作用せず、軸受部８１ｃがＸ１方向に移動回動中心軸９２から外れたり、軸受部８１ｃが破損したりすることが回避される。
【００５２】
蓋部材８１はケーシング本体６２の側面１０６に当る状態まで過剰に開かれる。この状態となると、力Ｆ１はケーシング本体６２の側面１０６によって受け止められ、蓋部材８１はそれ以上は回動しなくなって、回動中心軸モジュール９０の個所に力が作用しなくなる。
【００５３】
蓋部材８１を押している手を離したりして、図１４に示す状態で力Ｆ１が作用しなくなると、圧縮コイルばね９３のばね力によって、回動中心軸モジュール９０がＸ２方向に移動されて回動中心軸９２が凹み部分１０７内に引き込まれてここに収容されて第１の位置Ｐ１に戻され、蓋部材８１は閉じる方向に回動され、自動的に、図１３に示す状態とされる。よって、回動中心軸９２を凹み部分１０７内に戻す操作は不要となり、使い勝手がよい。
【００５４】
なお、上記のように回動中心軸９２がＸ１方向に移動される構成は、回動中心軸９２が蓋部材８１と一体に形成されている場合であっても実現が可能である。
【００５５】
次に、図１５（Ａ），（Ｂ）を参照して、軸受孔９１ｇ，９１ｈについて説明する。
【００５６】
軸受孔９１ｈは、Ｙ１側の第１の円形孔９１ｈ１と、Ｙ２側の第２の円形孔９１ｈ２と、この間のくびれ部９１ｈ３とよりなり、Ｙ１−Ｙ２方向に長い瓢箪形状である。軸受孔９１ｇも、同じく、Ｙ１側の第１の円形孔９１ｇ１と、Ｙ２側の第２の円形孔９１ｇ２と、この間のくびれ部９１ｇ３とよりなる形状である。
【００５７】
図１５（Ａ）の状態では、回動中心軸９２は、その軸部９２ｂを第１の円形孔９１ｈ１に、軸部９２ａを第１の円形孔９１ｇ１に夫々嵌合されて支持されており、Ｙ１側の位置Ｑ１に位置している。蓋部材８１が開いているときの状態である。
【００５８】
蓋部材８１を回動させて閉じ、最後に蓋部材８１をＹ２方向に移動させて、フック部８１ｃを凹部１１０に係合させ、凸部８１ｂを凹部１１１に係合させてロックさせる。
【００５９】
蓋部材８１をＹ２方向に移動させるときに、軸部９２ｂ、９２ａは夫々くびれ部９１ｈ３、９１ｇ３を強制的に通り抜けて、第２の円形孔９１ｈ２、９１ｇ２に到り、この位置Ｑ２にクリック的にロックされる。よって、クリック感がえられ、操作者は、蓋部材８１がＹ２方向に移動されたことを確認することが出来る。
【００６０】
次に、用紙ロール収納部蓋機構２００について、図４及び図１６（Ａ）乃至（Ｄ）を参照して説明する。
【００６１】
蓋部材２０１の上面には、図１６（Ｄ）に示す操作ノブ２０５が設けてある。蓋部材２０１の下面には、図１６（Ａ）に示すように、同一部材である左右のロックレバー２０６、２０７と、二段ギヤ２０８とが組み込んである。
【００６２】
二段ギヤ２０８は、図１６（Ａ）、（Ｂ）に示すように、第１のギヤ部２０８ａと第２のギヤ部２０８ｂとを一体に有する構成であり、蓋部材２０１上の軸部２０９に支持されている。第１のギヤ部２０８ａのピッチ円２２１は半径がｒ１である。第２のギヤ部２０８ｂのピッチ円２２２は、半径ｒ１より長い半径ｒ２を有する。
【００６３】
ロックレバー２０６のラック２０６ａ及びロックレバー２０７のラック２０７ａが第１のギヤ部２０８ａにかみ合っている。ロックレバー２０６は、ばね２１０によってＸ２方向にピン２１１に当る位置まで移動されており、先端部２０６ａが凹部２１２に嵌合している。ロックレバー２０７は、ばね２１３によってＸ２方向にピン２１４に当る位置まで移動されており、先端部２０７ａが凹部２１４に嵌合している。よって、蓋部材２０１は閉じた状態にロックされている。
【００６４】
操作ノブ２０５の下面のラック部２０５ａが、第２のギヤ部２０８ｂとかみ合っている。
【００６５】
操作ノブ２０５をＹ２方向にスライドさせると、二段ギヤ２０８が回動され、ロックレバー２０６，２０７が互いに近づくように連動して動かされて凹部２１２，２１５から抜け出して、蓋部材２０１のロックが解除され、蓋部材２０１が図５に示すように開かれる。
【００６６】
操作ノブ２０５からロックレバー２０６，２０７への運動の伝達は専らギヤによってなされており、運動の伝達は円滑であり、グリスは塗布されていない。よって、グリスの塗布に起因する不都合、例えば、グリスにごみが付いたことが原因で、或いはグリスの経年変化によって、操作が重くなってしまったり、グリスが染み出して印刷用紙を汚してしまったりする不都合は起きない。
【００６７】
また、第１のギヤ部２０８ａのピッチ円半径ｒ１と第２のギヤ部２０８ｂのピッチ円半径ｒ２との比率を変えることによって、操作ノブ２０５のロック解除までのストロークが自由に定めることが出来る。
【００６８】
なお、上記の蓋機構８０，２００は、携帯型サーマルプリンタに限らず、ＰＤＡ(personal digital assistants)、デジタルカメラ、ビデオカメラ、携帯電話機等にも適用が可能である。
【図面の簡単な説明】
【００６９】
【図１】従来の蓋機構の１例を示す図である。
【図２】従来の蓋機構の別の例を示す図である。
【図３】従来の蓋機構の更に別の例を示す図である。
【図４】本発明の一実施例になる携帯型サーマルプリンタを示す斜視図である。
【図５】図４の携帯型サーマルプリンタの蓋部材を開いた状態を示す図である。
【図６】図４の携帯型サーマルプリンタの内部構造を示す図である。
【図７】図４の携帯型サーマルプリンタを分解して示す図である。
【図８】バッテリ収納部蓋機構を分解して示す図である。
【図９】図８中、回動中心軸モジュールを分解して示す図である。
【図１０】回動中心軸モジュール支持構造部を示す図である。
【図１１】蓋部材が閉じているときの状態を示す図である。
【図１２】蓋部材のロックが解除されたときの状態を示す図である。
【図１３】蓋部材が通常に開かれたときの状態を示す図である。
【図１４】蓋部材が過剰に開かれたときの状態を示す図である。
【図１５】回動中心軸モジュールの回動中心軸を支持する部分を拡大して示す図である。
【図１６】用紙ロール収納部蓋機構を示す図である。
【符号の説明】
【００７０】
Ｂ  バッテリ
ＳＲ  用紙ロール
６０  携帯型ラインサーマルプリンタ
６１  ケーシング
６２  ケーシング本体
６３  本体部
６４  側板部
６６  バッテリ収納部
６９  プラテンゴムローラ
７５  ラインサーマル印字ヘッド
８０  バッテリ収納部蓋機構
８１  蓋部材
８１ａ  軸受部
９０  回動中心軸モジュール
９１  Ｕ字形状のフレーム部材
９１ｇ，９１ｈ  軸受孔
９１ｇ１、９１ｈ１  第１の円形孔
９１ｇ２、９１ｈ２  第２の円形孔
９１ｇ３、９１ｈ３  くびれ部
９１ｉ，９１ｊ  突起部
９２  回動中心軸
９３  圧縮コイルばね
１００  回動中心軸モジュール支持構造部
１０１  支持箱部
１０２  支持板部
１０４  切欠部
１０５  受け板部
１０７  凹み部分
１０８，１０９  ガイド孔
１１５、１１６  ワッシャ
１１７，１１８  タップねじ
２００  用紙ロール収納部蓋機構
２０１  蓋部材
２０５  操作ノブ
２０６、２０７  ロックレバー
２０８  二段ギヤ
【図１】
2006272968.tif 000003
【図２】
2006272968.tif 000004
【図３】
2006272968.tif 000005
【図４】
2006272968.tif 000006
【図５】
2006272968.tif 000007
【図６】
2006272968.tif 000008
【図７】
2006272968.tif 000009
【図８】
2006272968.tif 000010
【図９】
2006272968.tif 000011
【図１０】
2006272968.tif 000012
【図１１】
2006272968.tif 000013
【図１２】
2006272968.tif 000014
【図１３】
2006272968.tif 000015
【図１４】
2006272968.tif 000016
【図１５】
2006272968.tif 000017
【図１６】
2006272968.tif 000018